(57)【特許請求の範囲】
【請求項１】
所定の横方向間隔で直立して配置された、複数の隔壁部と、
前記隔壁部の間に所定の上下間隔で略平行に設けられた、複数の棚板部と、
前記複数の隔壁部の各々の正面に各々対応して設けられた、複数のはしご桁取付部と、
前記複数のはしご桁取付部の間に設けられ、前記複数の棚板部の各々の上方向に所定の間隔で配置された略棒状の複数のはしご桁部と、
を有することを特徴とするはしご付き棚。
【請求項２】
前記複数のはしご桁部の各々は、前記はしご付き棚の上下方向に関して、所定の傾斜角を有して整列することを特徴とする請求項１に記載のはしご付き棚
【請求項３】
前記はしご桁取付部は、前記棚板部の正面方向にスライド可能であることを特徴とする請求項１または２に記載のはしご付き棚。
【請求項４】
前記はしご桁取付部は、前記棚板部の正面方向に搖動可能であることを特徴とする請求項１から３のいずれかに記載のはしご付き棚。
【請求項５】
前記はしご桁部の断面は、略正方形の各角部を面取りした形状であることを特徴とする請求項１から４のいずれかに記載のはしご付き棚。
【請求項６】
前記複数のはしご桁部の内の任意の上下のはしご桁部に取り付け可能な踏み台を備えることを特徴とする請求項１から５にいずれかに記載のはしご付き棚。
【発明の詳細な説明】
【技術分野】
【０００１】
本発明は、はしごや脚立の用意が不要なはしご付き棚に関するものである。
【背景技術】
【０００２】
吹き抜け等がある住宅の場合には、この吹き抜けの高さ方向を有効活用して、２階天井まで届く高さの高い棚を設けることが可能である。このような高さのある棚で手の届かない棚を利用する場合には、はしごや脚立を使用する必要がある。
【０００３】
しかしながら、棚だけのために、はしごや脚立を別に用意することは無駄が多く、本や小物を取る都度、はしごや脚立を棚の前に移動させ設置するのは使い勝手が悪い。
【０００４】
このような課題を解決する技術としては、本棚の前方の上下のレールに、はしご支持体を側方移動可能に連係し、このはしご支持体に、下端にキャスタを備えるはしご本体の上端部を、垂直をなす格納位置と、下端が前方の床面に接する使用位置とに保持し得るように、上下移動可能かつ回動可能に連結する技術が開示されている（例えば、特許文献１参照）。
【先行技術文献】
【特許文献】
【０００５】
【特許文献１】特開2002-13375号公報
【発明の概要】
【発明が解決しようとする課題】
【０００６】
しかしながら、特許文献１の技術では、はしご本体を左右に移動させるためのレールが必要なため構造が複雑で高価となる。また、結局のところ、取りたいものがある棚の位置に、はしご本体を左右に移動させる必要があるため、使い勝手が悪い。
【０００７】
さらに、はしご本体を移動させるためのレールが制約となり、棚が有効に使用できないことも考えられる。さらに、はしごの踏板が、棚の中部程度までしか設けられていないため、棚の上部に手が届くようにするためには、棚の高さが制限されてしまうことも考えられる。
【０００８】
本発明は、このような従来の問題を解決するためになされたもので、はしごや脚立を別途用意することが不要なはしご付き棚を提供することである。
【課題を解決するための手段】
【０００９】
本発明のはしご付き棚は、所定の横方向間隔で直立して配置された複数の隔壁部と、隔壁部の間に所定の上下間隔で略平行に設けられた複数の棚板部と、複数の隔壁部の各々の正面に各々対応して設けられた複数のはしご桁取付部と、複数のはしご桁取付部の間に設けられ、複数の棚板部の各々の上方向に所定の間隔で配置された略棒状の複数のはしご桁部とを有することを特徴とする。
【発明の効果】
【００１０】
本発明のはしご付き棚によれば、はしごや脚立を別途用意することが不要とすることが可能となる。
【図面の簡単な説明】
【００１１】
【図１】本発明の第１実施形態のはしご付き棚の全体構成を示す図である。
【図２】本発明の第１実施形態のはしご付き棚の断面図である。
【図３】本発明の第１実施形態のはしご付き棚の実際の使用態様を示す図である。
【図４】本発明の第２実施形態のはしご付き棚２００の縦断面を示す図である。
【図５】本発明の第３実施形態のはしご付き棚３００の縦断面を示す図である。
【図６】本発明の第４実施形態のはしご付き棚４００の縦断面を示す図である。
【図７】本発明の各実施形態のはしご付き棚に取り付け可能な踏み台５００を示す図である。
【発明を実施するための形態】
【００１２】
以下、本発明の実施形態であるはしご付き棚について、図を参照して詳細に説明をする。
【００１３】
（第１実施形態）
図１は、本発明の第１実施形態のはしご付き棚１００の全体構成を示す図である。図１（ａ）は本実施形態のはしご付き棚１００の正面図であり、図１（ｂ）は本実施形態のはしご付き棚１００の斜視図である。
【００１４】
本実施形態のはしご付き棚１００は、横方向に整列したＡ列、Ｂ列、及び、Ｃ列の複数の棚列を有する。本実施形態のＡ列、Ｂ列、及び、Ｃ列の各棚列は同様の構成を有するため、以下の説明ではＢ列の棚部について説明する。
【００１５】
なお、Ａ列、Ｂ列、及び、Ｃ列の棚列の構成はあくまでも一例であり、本実施形態に限られるものではない。例えば、Ａ列、Ｂ列、及び、Ｃ列の棚列は異なる棚数を有してもよい。また、棚の列数は３列に限られず、室内空間の大きさに応じて、棚の列数を適宜増減してよい。
【００１６】
本実施形態のはしご付き棚１００のＢ列の棚列は、隔壁１０１ａ、１０１ｂと、棚板１０２ａ〜１０２ｌと、はしご桁１０３ａ〜１０３ｌと、はしご桁取付部材１０４ａ、１０４ｂとから構成される。なお、図１の隔壁１０１、棚板１０２、はしご桁１０３、及び、はしご桁取付部材１０４の数はあくまでも一例であり、棚が設置される建物の内部空間の大きさにより適宜変更してよい。
【００１７】
本実施形態の隔壁１０１ａ、１０１ｂは、建物の内部空間の床面に対して直立し、所定の横方向間隔で配置される。本実施形態の隔壁１０１ａ、１０１ｂは、床面から例えば高さ5ｍ程度の吹き抜け最上部に至る。隔壁１０１は、高さ5ｍ程度、幅200ｍｍ〜400ｍｍ程度の木材を用いることができる。なお、図では、隔壁１０１は建物の壁等から独立した部材としているが、これに限られず、例えば、柱など他の構造物を利用してもよい。
【００１８】
図２は、本発明の第１実施形態のはしご付き棚１００の断面図である。図２（ａ）は、図１（ａ）のＢ-Ｂ断面図であり、図２（ｂ）は、図１（ａ）のＡ-Ａ断面図である。
【００１９】
図２（ｂ）に示すように、本実施形態の棚板１０２ａ〜１０２ｌは、隔壁１０１ａと隔壁１０１ｂの間に所定の上下間隔で平行に設けられる。棚板１０２の上方のいくつかは、人間の手が届かない高さまで配置される。棚の使用時に、棚板１０２ａ〜１０２ｌの上面には書籍等の収納物が載せられる。棚板１０２ａ〜１０２ｌの上下間隔は、400ｍｍ程度とすることができる。
【００２０】
図２（ａ）に示すように、本実施形態のはしご桁１０３ａ〜１０３ｌは、隔壁１０１ａと隔壁１０１ｂの各々の前面に設けられたはしご桁取付部材１０４ａと１０４ｂの間に設けられる。図２（ｂ）に示すように、本実施形態のはしご桁１０３ａ〜１０３ｌの各々は、複数の棚板１０２ａ〜１０２ｌの各々の正面方向、及び、上方向に所定の間隔で配置される。
【００２１】
本実施形態のはしご桁１０３ａ〜１０３ｌの各々は、棒状の形状を有する。なお、本実施形態において、隔壁１０１とはしご桁取付部材１０４とは別部材であってもよいし、一体的な部材であってもよい。
【００２２】
図３は、本発明の第１実施形態のはしご付き棚１００の使用態様を示す図である。図３（ａ）は、はしご桁がストッパとして機能する態様を説明する図であり、図３（ｂ）は、実際に人間が上る場合の態様を説明する図である。
【００２３】
図３（ａ）に示すように、本実施形態のはしご桁１０３ａ〜１０３ｌの各々は、複数の棚板１０２ａ〜１０２ｌの各々の正面方向、及び、上方向に所定の間隔で配置される。このため、はしご桁１０３ａ〜１０３ｌは、棚板１０２ａ〜１０２ｌに載置された書籍等が地震などの際に、棚板１０２からずれて落下することを予防するストッパとしての機能も有する。
【００２４】
すなわち、図３（ａ）に示すように、棚板１０２上の書籍等の載置物が水平移動する場合や回転移動する場合でも、棚板１０２の正面方向及び上方向に離れた位置に、はしご桁１０３が配置されているため、それ以上の移動を効果的に予防できる。
【００２５】
図３（ｂ）に示すように、はしご桁１０３と対応する棚板１０２の水平方向の間隔は、40ｍｍ〜100ｍｍ程度とすることが好ましい。その理由は、この範囲以上離れた場合には、棚の奥まで手が届かない場合があり、また、書籍以外の小物等がはしごと棚の間の隙間から地震などの場合に落下する可能があるからである。
【００２６】
はしご桁１０３と対応する棚板１０２の上方向の間隔は、20ｍｍ程度とすることが好ましい。その理由は、これ以上間隔を大きくした場合には、大きな書物等の出し入れがしにくくなるからである。
【００２７】
また、図３に示すように、本実施形態のはしご桁１０３は、35ｍｍ角程度の正方形の四隅をｒ面取りした断面形状を有するのがよい。断面形状を正方形とすることにより、単なる円状とした場合より、人間が把持しやすくなる。
【００２８】
以上説明したように、本発明の第１実施形態のはしご付き棚１００によれば、あらかじめ、はしごが組み込まれているため、別途はしごや脚立の用意が不要であり、使い勝手がよい。さらに、はしご桁が書籍等の落下防止のストッパの機能も有するため、地震等による落下を低減できる。
【００２９】
（第２実施形態）
図４は、本発明の第２実施形態のはしご付き棚２００の縦断面を示す図である。図に示すようにはしご桁２０３ａから２０３ｌの各々は、はしご付き棚２００の上下方向に対して、所定の傾斜角（図中のθ）を有するように整列している。
【００３０】
本実施形態において、はしご桁２０３の傾斜角を75度から87度とすることが好ましい。その理由は、75度未満とした場合には、棚の下部の収納の奥行きが大きくなりすぎ使いづらくなるからである。
【００３１】
本実施形態では、最上段の棚板２０２ａの奥行きは150ｍｍで、例えば、文庫本等を収納でき、棚の最下段の奥行きは400ｍｍとなるため、段ボール等を収納できる。なお、棚板の奥行きは、用途に応じて適宜変更できる。
【００３２】
以上説明したように、本発明の第２実施形態のはしご付き棚２００によれば、はしごに傾斜が付くことにより、人間が昇降する際の負担を軽減できる。
【００３３】
（第３実施形態）
図５は、本発明の第３実施形態のはしご付き棚３００の縦断面を示す図である。図に示すようにはしご桁３０３ａから３０３ｌ（３０３ｂ〜３０３ｌについては表記を省略）の各々は、はしご桁取付部材３０４ａ、３０４ｂ（不図示）に取り付く。同時に、はしご桁取付部材３０４は、図中の棚上部のＡ部及び棚下部等に備わるスライド機構により、図中のＣ方向（棚の正面方向）にスライドすることが可能である。
【００３４】
図５において、はしご使用時のはしご桁取付部材、及び、はしご桁位置の位置を、それぞれ、３０３ａ、３０４ａで表し、はしご格納時のはしご桁取付部材、及び、はしご桁位置の位置を、それぞれ、３０３ａ´、及び、３０４ａ´（点線部分）で表している。
【００３５】
なお、スライド機構自体については、公知の機構（スライドレール等）を適宜用いればよい。また、図中のはしご桁３０３には傾斜が設けられているが、本発明の第１実施形態のように、はしご桁３０３の整列方向は床に対してほぼ垂直であってもよい。
【００３６】
以上説明したように、本発明の第３実施形態のはしご付き棚３００によれば、はしご使用時には、はしご桁が３０３ａの位置（すなわち棚の前方）にスライドされることができる。これにより、はしご桁３０３と棚板３０２の正面との間隔を空けて、昇降しやすくする。
【００３７】
また、本発明の第３実施形態のはしご付き棚３００によれば、はしごの不使用時には、はしご桁３０３ａ´と棚板３０２ａの正面との距離を小さくする、もしくは、棚板３０２ａ上面にはしご桁３０３ａ´が来るようスライドして、収納物とストッパとなるはしご桁３０３ａ´との距離を縮めることができる。これにより、ストッパとしての機能をより高めることが可能となる。
【００３８】
（第４実施形態）
図６は、本発明の第４実施形態のはしご付き棚４００の縦断面を示す図である。図に示すようにはしご桁４０３ａから４０３ｌ（４０３ａ〜４０３ｉ、４０３ｋ、４０３ｌについては表記を省略）の各々は、はしご桁取付部材４０４ａ、４０４ｂ（不図示）に取り付く。同時に、はしご桁取付部材４０４は、図中の棚上部のＡ部に備わる搖動機構により、その下端を図中のＢ方向（棚の正面方向）に搖動することが可能である。
【００３９】
図６において、はしご使用時のはしご桁取付部材、及び、はしご桁位置の位置を、それぞれ、４０３ｊ、及び、４０４ａで表し、はしご格納時のはしご桁取付部材、及び、はしご桁位置の位置を、それぞれ、４０３ｊ´、及び、４０４ａ´（点線部分）で表している。
【００４０】
なお、搖動機構自体については、公知の機構（蝶番等）を適宜用いればよい。また、はしご桁取付部材４０４を前方に搖動した場合には、はしご桁取付部材４０４の長さが不足するが、はしご桁取付部材４０４の末端が床に接地するように、はしご桁取付部材４０４の伸長機構を末端に設けてもよい。
【００４１】
以上説明したように、本発明の第４実施形態のはしご付き棚４００によれば、はしご使用時には、はしご桁が４０３ａの位置（すなわち棚の前方）に搖動することができる。これにより、はしご桁４０３と棚板３０２の正面との間隔を空けて、昇降しやすくする。さらに、はしご桁４０３が、はしご付き棚４００の上下方向に対して、所定の傾斜角を有することとなるため、人間が昇降する際の負担を軽減できる。
【００４２】
また、本発明の第４実施形態のはしご付き棚４００によれば、はしごの不使用時には、はしご桁４０３´と棚板４０２の正面との距離を小さくする、もしくは、棚板４０２上面にはしご桁４０３が来るように搖動して、収納物とストッパとなるはしご桁４０３との距離を縮めることができる。これにより、ストッパとしての機能をより高めることが可能となる。
【００４３】
図７は、本発明の各実施形態のはしご付き棚に取り付け可能な踏み台５００を示す図である。図に示すように踏み台５００は、ステージ部５０１と支持脚５０２とからなる。
【００４４】
ステージ部５０１は、ほぼ平板状の形状を有する。ステージ部５０１は一端にステージ面から直角方向に伸長する引掛け部５０１ａを有する。なお、引掛け部５０１ａの形状はこれに限られず、例えば、別部材として金具等をステージ部５０１の一端に取り付けてもよい。
【００４５】
支持脚５０２は、略棒状の形状を有する。支持脚５０２の一端５０２ｂは、ステージ部５０１の引掛け部５０１ａが備わらない他の一端に取り付けられる。また、支持脚５０２は、支持脚５０２の他端に、略棒状の伸長方向と角度をなす挿入部５０２ａを有する。
【００４６】
なお、支持脚５０２の形状はこれに限られず、例えば、Ｌ字状であってもよい。また、本実施形態では、２本の支持脚を有する形態が開示されているが、これに限られず、１つの部材としてもよいし、３本以上設けてもよい。また、踏み台５００の材質は木材でもスチールでも構わない。
【００４７】
図７に示すように、踏み台５００の使用時には、ステージ部５０１の引掛け部５０１ａをはしご桁１０３ｄに引掛け、支持脚５０２の挿入部５０２ａを、はしご桁１０３ｄの下段のはしご桁１０３ｅと棚板１０２ｅとの隙間に挿入して固定する。なお、踏み台の固定法はこれに限られず、例えば、引掛け部５０１ａ及び挿入部５０２ａの先端が、はしご桁１０３を直接把持するようなクランプ等の構造を有してもよい。
【００４８】
以上説明したように、本実施形態の踏み台によれば、本発明の各実施形態のはしご桁と棚板との隙間を利用し、確実に引掛けるような構造とすることにより、必要に応じて着脱が容易であり、人間の荷重が加わっても十分な強度を発揮する踏み台とすることができる。
【符号の説明】
【００４９】
１００、２００、３００、４００：はしご付き棚
１０１、２０１、３０１、４０１：隔壁
１０２、２０２、３０２、４０２：棚板
１０３、２０３、３０３、４０３：はしご桁
５００：踏み台
【図１】
0005985530.tif 000002
【図２】
0005985530.tif 000003
【図３】
0005985530.tif 000004
【図４】
0005985530.tif 000005
【図５】
0005985530.tif 000006
【図６】
0005985530.tif 000007
【図７】
0005985530.tif 000008